(57)【要約】【課題】セルフチェックアウト端末等を用いた商品情報の入力作業を円滑化し、顧客の利便に供するとともに会計処理の完了までに要する時間を大幅に短縮させること。【解決手段】表示器８と読取り窓１０の間に発光部９を設ける。読取り窓１０に商品が翳されたときには発光部９を第１色に発光させ、スキャナによるバーコードの読取位置を照明させる。スキャナによりバーコードが読み取られたときには発光部９を第２色に発光させ、読取りの成功を報知する。一方、スキャナがバーコードの読取りに失敗したときには発光部９を第３色に発光させ、読取りの失敗を報知する。【選択図】    図１
2011134006.tif 000002
【特許請求の範囲】
【請求項１】
読取位置に翳される商品から商品情報を読取る商品情報読取手段と、
第１色に発光して前記読取位置を照明するとともに、前記商品情報読取手段によって商品情報が読み取られたことに応じて第２色に発光する発光手段と、
を備えていることを特徴とするセルフチェックアウト端末。
【請求項２】
前記発光手段は、前記商品情報読取手段による商品情報の読取りが失敗したとき、第３色に発光することを特徴とする請求項１に記載のセルフチェックアウト端末。
【請求項３】
端末筐体と、
この端末筐体に設けられ、読取位置に翳される商品から商品情報を読取る商品情報読取部と、
前記端末筐体に設けられ、前記商品情報読取部によって読取られた商品情報を表示する表示部と、
前記表示部よりも前記商品情報読取部の近傍に位置するように前記端末筐体に設けられ、第１色に発光して前記読取位置を照明するとともに、前記商品情報読取部によって商品情報が読み取られたことに応じて第２色に発光する発光部と、
を備えていることを特徴とするセルフチェックアウト端末。
【請求項４】
前記発光部は、前記商品情報読取部と前記表示部との間に位置するように前記端末筐体に設けられていることを特徴とする請求項３に記載のセルフチェックアウト端末。
【請求項５】
読取位置に翳される商品から商品情報を読取る商品情報読取手段と、
前記商品情報読取手段によって前記読取位置に翳された商品から商品情報を読取るのに必要な光量の不足を検知する光量検知手段と、
前記光量検知手段によって前記光量の不足が検知された場合に第１色に発光して前記読取位置に翳された商品を照明し、前記商品情報読取手段によって商品情報が読み取られたことに応じて第２色に発光する発光手段と、
を備えていることを特徴とする商品情報読取装置。
【請求項６】
読取位置に翳される商品から商品情報を読取る商品情報読取部と、少なくとも複数色に発光する発光部とを備えたセルフチェックアウト端末の制御プログラムであって、
前記セルフチェックアウト端末に、
前記発光部を第１色に発光させて前記読取位置に翳される商品を照明する機能と、
前記商品情報読取部によって商品情報が読み取られたことに応じて前記発光部を第２色に発光させる機能と、
を実現させるための制御プログラム。
【発明の詳細な説明】
【技術分野】
【０００１】
本発明は、顧客自身が操作して一連の会計処理を完了させるセルフチェックアウト端末、その制御プログラム、および読取位置に翳される商品から商品情報を読取る商品情報読取装置に関する。
【背景技術】
【０００２】
一般的に、キャッシャが操作して売上データを登録する対面販売式のＰＯＳ（Point Of Sales）端末は、バーコード読取用のスキャナを備えている。キャッシャは、前記スキャナの読取位置に商品に付されたバーコードを翳して、顧客の買い上げ商品に係る商品情報をＰＯＳ端末に入力していく。
【０００３】
従来、前記スキャナによって正常にバーコードが読み取られたか否かをキャッシャが容易に認知できるように、バーコードの読取成否を音声や表示にて報知する技術が知られている。例えば特許文献１には、バーコードの読取が異常である場合にスピーカから音声を発生させるとともに、ＬＥＤを点灯させてその旨を報知するハンドスキャナに関する発明が開示されている。
【０００４】
近年、スーパーマーケットやコンビニエンスストア等の小売店では、セルフチェックアウト式の会計システムが普及しつつある。このシステムでは、ＰＯＳ端末の一種であり、顧客自身が一連の会計処理を完結させることが可能なセルフチェックアウト端末が使用される。
【０００５】
上記セルフチェックアウト端末にて会計しようとする顧客は、自らの手で買い上げ商品に付されたバーコードを当該端末の筐体面等に設けられた縦型スキャナの読取り窓に翳して商品情報を入力していく。そして、全ての商品について商品情報を入力し終えたならば、入力済みの商品情報に基づいて算出される代金を現金，カード，電子マネー等で支払って一連の会計処理を完了させる。セルフチェックアウト端末に設けられた表示器には、登録された商品情報に加え、操作に不慣れな顧客のために操作方法のガイダンス等が表示される。
【０００６】
このようなセルフチェックアウト式の会計システムを導入すれば、レジ毎に店員を配置する必要がなくなるので、人件費の大幅な削減が可能となる。
【発明の概要】
【発明が解決しようとする課題】
【０００７】
顧客は、上記セルフチェックアウト式のＰＯＳ端末にて会計を行う際、商品に付されたバーコードをスキャナの読取り窓に自らの手で翳さなければならない。しかし、顧客はこの翳し動作に不慣れであることが一般的であり、読取り窓に対してどの方向からどの程度の位置にバーコードを翳せばよいのかが分からない場合があるし、読取り動作の最中に操作者自身の手でスキャナが備える光源からの照明が遮られてバーコードが十分照明されない事態も生じ得る。
【０００８】
また、顧客がバーコードの読取成否を判断すべく、バーコードを翳す度に表示部に表示された入力済みの商品情報に目を遣っていたのでは、全ての商品について商品情報を入力し終えるまでに多大な時間を費やしてしまう。
【０００９】
また、セルフチェックアウト端末を設置する位置によっては、店内照明等の外部照明が当該端末自身あるいは他の障害物等に遮られ、スキャナによってバーコードを読取るのに必要な光量を十分確保できない状況が生じ得る。
【００１０】
このように、セルフチェックアウト端末を用いた商品情報の入力に関しては、種々の問題が存在していた。
【００１１】
本発明は、上記のような事情に基づいてなされたものであり、その目的は、セルフチェックアウト端末等を用いた商品情報の入力作業を円滑化し、顧客の利便に供するとともに会計処理の完了までに要する時間を大幅に短縮させることである。
【課題を解決するための手段】
【００１２】
上記目的を達成するため、本発明は、次のような手段を講じている。  
本発明の第1の視点は、読取位置に翳される商品から商品情報を読取る商品情報読取手段と、第１色に発光して前記読取位置を照明するとともに、前記商品情報読取手段によって商品情報が読み取られたことに応じて第２色に発光する発光手段とを備えたセルフチェックアウト端末である。
【００１３】
本発明の第２の視点は、読取位置に翳される商品から商品情報を読取る商品情報読取手段と、前記商品情報読取手段によって前記読取位置に翳された商品から商品情報を読取るのに必要な光量の不足を検知する光量検知手段と、前記光量検知手段によって前記光量の不足が検知された場合に第１色に発光して前記読取位置に翳された商品を照明し、前記商品情報読取手段によって商品情報が読み取られたことに応じて第２色に発光する発光手段とを備えた商品情報読取装置である。
【００１４】
本発明の第３の視点は、読取位置に翳される商品から商品情報を読取る商品情報読取部と、少なくとも複数色に発光する発光部とを備えたセルフチェックアウト端末の制御プログラムであって、前記セルフチェックアウト端末に、前記発光部を第１色に発光させて前記読取位置に翳される商品を照明する機能と、前記商品情報読取部によって商品情報が読み取られたことに応じて前記発光部を第２色に発光させる機能とを実現させるための制御プログラムである。
【発明の効果】
【００１５】
かかる手段を講じた本発明によれば、セルフチェックアウト端末等を用いた商品情報の入力作業を円滑化し、顧客の利便に供するとともに会計処理の完了までに要する時間を大幅に短縮させることができる。
【図面の簡単な説明】
【００１６】
【図１】第1の実施形態におけるセルフチェックアウト端末の外観斜視図。
【図２】同セルフチェックアウト端末の制御回路を示すブロック図。
【図３】同セルフチェックアウト端末が備える発光部の照明範囲を示す模式図。
【図４】同セルフチェックアウト端末のＣＰＵが実行する処理のフローチャート。
【図５】第２の実施形態におけるセルフチェックアウト端末の制御回路を示すブロック図。
【図６】同セルフチェックアウト端末のＣＰＵが実行する処理のフローチャート。
【発明を実施するための形態】
【００１７】
（第1の実施形態）
以下、本発明の第1の実施形態について、図面を参照しながら説明する。  
なお、本実施形態は、顧客自身の操作にて一連の会計処理を完結させるセルフチェックアウト端末に、本発明を適用した一例である。
【００１８】
図１は、本実施形態におけるセルフチェックアウト端末の外観斜視図である。本セルフチェックアウト端末１は、バーコードの読取りが完了した商品を載置する荷受面５およびレジ袋の持ち手部分を掛止する一対の掛止部６が設けられた商品載置台２と、バーコードの読取りが完了していない商品を載置する荷受面７が設けられた商品載置台３と、前記商品載置台２上に立設された本体４とを備えている。
【００１９】
商品載置台２は、荷受面５に載置された商品および掛止部６に取り付けられたレジ袋に詰められた商品の重量を計測する重量計測ユニットを備えており、商品載置台３は、荷受面７に載置された商品の重量を計測する重量計測ユニットを備えている。これら重量計測ユニットにて計測された重量は、商品の登録漏れや不正を防止するための重量チェックに用いられる。
【００２０】
前記本体４の筐体には、表示器８（表示手段）と、発光部９（発光手段）と、商品に付されたバーコードの読取りに使用する読取り窓１０（商品情報読取部）と、レシートを排出するレシート発行口１１と、電子マネー媒体と無線通信する電子決済端末１２とが設けられている。
【００２１】
表示器８は、ＬＣＤ（Liquid Crystal Display）の前面にタッチパネルを取り付けたタッチパネル付きディスプレイである。
【００２２】
発光部９は、白色（第１色）に発光するＬＥＤ９ａと、青色（第２色）に発光するＬＥＤ９ｂと、赤色（第３色）に発光するＬＥＤ９ｃとを組み合わせて構成されている。なお、発光部９が表示器８よりもバーコードの読取位置（読取り窓１０に正対する位置）に対して近傍に位置するように、表示器８と読取り窓１０との間に発光部９を設けている。したがって、前記読取位置付近を見ながらバーコードの翳し動作を行っている顧客からは、表示器８よりも発光部９の方が視認し易くなる。
【００２３】
図２は、セルフチェックアウト端末１の制御回路を示すブロック図である。セルフチェックアウト端末１の制御回路は、制御の中枢として機能するＣＰＵ２０に対してＲＯＭ（Read Only Memory）２１、ＲＡＭ（Random Access Memory）２２、タイマ２３、通信Ｉ／Ｆ（Interface）２４、ＨＤＤ（Hard Disk Drive）２５、表示器コントローラ２６、電子決済端末コントローラ２７、プリンタコントローラ２８、スキャナコントローラ２９、及び発光部コントローラ３０を、アドレスバスやデータバス等のバスライン３１にて接続して構成されている。
【００２４】
そして、通信Ｉ／Ｆ２４に店舗内に設けられたＬＡＮ（Local Area Network）と通信接続された通信ケーブル３２が接続され、表示器コントローラ２６に前記表示器８のＬＣＤパネル８ａおよびタッチパネル８ｂが接続され、電子決済端末コントローラ２７に前記電子決済端末１２が接続され、プリンタコントローラ２８にレシートプリンタ３３が接続され、スキャナコントローラ２９にスキャナ３４（商品情報読取手段）が接続され、発光部コントローラ３０に前記発光部９が接続されている。
【００２５】
ＲＯＭ２１は、ＢＩＯＳ（Basic Input/Output System）等の固定的データを記憶している。
【００２６】
ＲＡＭ２２は、処理場面に応じて各種の作業用記憶エリアを形成する。特に、会計処理の実行中には、ＰＬＵ（Price Look Up）データに販売点数を付加してなる販売データを登録する販売データ登録エリアを形成する。
【００２７】
タイマ２３は、セルフチェックアウト端末１の動作に使用するシステム日時を計時する。
【００２８】
ＨＤＤ２５は、ＯＳ（Operating System）ファイル、アプリケーションファイル、及びＰＬＵファイル等、セルフチェックアウト端末１の動作に必要なデータを記憶している。前記ＰＬＵファイルには、商品毎に割り当てられたＰＬＵコードに対応付けて各商品の商品名称や販売単価で構成されるＰＬＵデータが登録されている。
【００２９】
表示器コントローラ２６は、ＣＰＵ２０から出力される表示データをビデオ信号に変換してＬＣＤパネル８ａに出力するとともに、タッチパネル８ｂから出力される電気信号に基づいて接触操作位置の座標を算出し、ＣＰＵ２０に通知する。ＬＣＤパネル８ａは、セルフチェックアウト端末１を操作する顧客に対して、表示器コントローラ２６から出力されるビデオ信号に基づく情報を表示する。タッチパネル８ｂは、例えば接触位置に応じた電圧降下量を出力するように構成された抵抗膜方式のタッチパネルである。
【００３０】
電子決済端末コントローラ２７は、電子決済端末１２とＩＣカードや携帯通信端末等の電子マネー媒体との通信タイミングを制御し、電子決済端末１２が電子マネー媒体から検出した電子マネー情報をＣＰＵ２０に通知する。
【００３１】
レシートプリンタ３３は、例えばサーマルヘッドとプラテンローラとで感熱紙であるレシート用紙を狭持しつつ搬送ローラにて搬送するように構成した、いわゆるサーマルプリンタである。レシートプリンタ３３により印字されたレシートは、前記レシート発行口１１から排出される。プリンタコントローラ２８は、レシートプリンタ３３を駆動してＣＰＵ２０から受信した印字データに基づくパターンをレシート用紙に形成させる。
【００３２】
スキャナ３４は、カメラ撮像方式のバーコードスキャナであり、バーコードの読取位置を照明する光源３４ａと、ＣＣＤ（Charge Coupled Device）等の撮像素子を一列に配列したイメージセンサ３４ｂと、デコーダ３４ｃとを備えている。イメージセンサ３４ｂは、光源３４ａによって照明された商品からの反射光を映像信号に変換してデコーダ３４ｃに出力する。デコーダ３４ｃは、イメージセンサ３４ｂから出力される映像信号を解析してバーコードデータを生成する。スキャナコントローラ２９は、スキャナ３４によるバーコードの読取りタイミングを制御するとともに、スキャナ３４から出力されたバーコードデータをＣＰＵ２０に通知する。
【００３３】
発光部コントローラ３０は、発光部９を制御してＬＥＤ９ａ〜９ｃの点灯／消灯を制御する。ＬＥＤ９ａは、スキャナ３４によるバーコードの読取位置を補助的に照明するとともに、当該読取位置を顧客に対して示す役割を担っている。一方、ＬＥＤ９ｂ及びＬＥＤ９ｃは、バーコードの読み取りの成否を顧客に対して報知する役割を担っている。
【００３４】
ＬＥＤ９ａによる照明範囲について、図３の模式図を用いて説明する。
【００３５】
図中の１００は読取り窓１０に翳された商品で、１１０は当該商品１００に付されたバーコードである。ＬＥＤ９ａによる照明範囲１２０は、スキャナ３４によるバーコードの読取範囲１３０よりも小さく設定されている。顧客は、この照明範囲１２０内にバーコード１１０が位置するように、商品を読取り窓１０に翳す位置を調整すればよい。
【００３６】
次に、セルフチェックアウト端末１の動作について説明する。  
［会計処理］  
先ず、セルフチェックアウト端末１を用いた会計処理の、一連の流れについて説明する。  
顧客が購入前の商品を入れた買い物籠を商品載置台３の荷受面７に載置すると、商品載置台３に内蔵された重量計測ユニットが反応し、これら商品の総重量を計測する。これにトリガされて会計処理が開始される。このとき、スキャナ３４がスキャナコントローラ２９に制御されて光源３４ａによる照明を開始し、バーコードの読取りを受け付ける状態に移行する。
【００３７】
顧客が商品載置台３に乗せた買い物籠から商品を取り出して該商品に付されたバーコードを読取り窓１０に翳すと、デコーダ３４ｃによって当該バーコードがデコードされる。かくしてデコードされたデータは、ＰＬＵコード（商品情報）としてＣＰＵ２０に通知される。ＰＬＵコードの通知を受けたＣＰＵ２０は、検出したＰＬＵコードに対応付けられたＰＬＵデータをＨＤＤ２５に記憶されたＰＬＵファイルから検索し、発見したＰＬＵデータに販売点数を対応付けた販売データをＲＡＭ２２に形成した販売データ登録用の記憶エリアに登録する。
【００３８】
バーコードの読取りが受け付けられている間、表示器８にはＰＬＵコードの入力完了を宣言する締めキーが表示されている。全商品についてバーコードの読取りが完了したとき、顧客が前記締めキーを接触操作すると、前記販売データ登録用の記憶エリアに登録された販売データに基づいて当該商取引の代金が算出され、表示器８に表示される。代金が表示された後、電子決済端末１２が電子決済端末コントローラ２７に制御されて電子マネー媒体との通信を待機する状態に移行する。
【００３９】
このとき、顧客が自身の電子マネー媒体を電子決済端末１２に翳すと、当該電子マネー媒体から電子決済に必要な電子マネー情報が読取られる。電子決済端末コントローラ２７から電子マネー情報が通知されると、ＣＰＵ２０は、周知の手順で電子マネー決済を行って１商取引を完了させ、会計処理を終了する。
【００４０】
［発光制御］
次に、本発明の特徴的な制御である、発光部９の発行制御について説明する。  
図４は、前記発光制御においてＣＰＵ２０が実行する処理のフローチャートである。  
会計処理にてスキャナ３４がバーコードの読取りを受け付けている間、ＣＰＵ２０は、読取り窓１０に商品が翳されたか否かを判定している（ステップＳ１）。ここでは、例えばイメージセンサ３４ｂから出力される映像信号に予め定められた閾値以上の変化が生じた場合に、読取り窓１０に商品が翳されたと判定する。あるいは、デコーダ３４ｃが何らかのバーパターンを検出した場合に、読取り窓１０に商品が翳されたと判定するようにしてもよい。
【００４１】
ステップＳ１の処理において、読取り窓１０に商品が翳されたと判定される場合（ステップＳ１のＹｅｓ）、ＣＰＵ２０は、発光部コントローラ３０を介して発光部９を制御し、ＬＥＤ９ａを点灯させる（ステップＳ２）。ＬＥＤ９ａの点灯に伴って、図３を用いて説明したように、スキャナ３４によるバーコードの読取範囲が補助的に照明される。顧客は、商品に付されたバーコードがＬＥＤ９ａの照明範囲に位置するように、商品を読取り窓１０に翳す角度や位置を調整する。
【００４２】
ＬＥＤ９ａを点灯させた後、ＣＰＵ２０は、バーコードの読取りに成功したか否かを判定する（ステップＳ３）。デコーダ３４ｃがバーコードをデコードできていない場合、ＣＰＵ２０は、バーコードの読取りに失敗したと判定する（ステップＳ３のＮｏ）。この場合、ＣＰＵ２０は、発光部コントローラ３０を介して発光部９を制御し、ＬＥＤ９ａを消灯するとともに、ＬＥＤ９ｂを瞬間的に点灯させる（ステップＳ４）。このＬＥＤ９ｂの点灯によって発光部９が赤色に発光するので、顧客は、バーコードの読取りに失敗したことを認知できる。しかる後、ＣＰＵ２０は、再びステップＳ１の処理に戻って以降の処理を繰り返す。
【００４３】
一方、デコーダ３４ｃがバーコードをデコードできた場合、ＣＰＵ２０は、バーコードの読取りに成功したと判定する（ステップＳ３のＹｅｓ）。この場合、ＣＰＵ２０は、発光部コントローラ３０を介して発光部９を制御し、ＬＥＤ９ａを消灯するとともに、ＬＥＤ９ｃを瞬間的に点灯させる（ステップＳ５）。このＬＥＤ９ｃの点灯によって発光部９が青色に発光するので、顧客は、バーコードの読取りに成功したことを認知できる。
【００４４】
しかる後、ＣＰＵ２０は、デコードされたバーコードデータであるＰＬＵコードに対応付けられたＰＬＵデータをＨＤＤ２５に記憶されたＰＬＵファイルから検索し、発見したＰＬＵデータに販売点数を対応付けた販売データをＲＡＭ２２に形成した販売データ登録用の記憶エリアに登録する（ステップＳ６）。以上で、一連の発光部９の発光制御が終了する。
【００４５】
以上説明したように、本実施形態におけるセルフチェックアウト端末１が備える発光部９は、白色に発光してスキャナ３４によるバーコードの読取位置を照明する。顧客は、発光部９によって照明される位置にバーコードを翳せばよいので、商品を翳す角度や位置を容易に把握できる。その結果、バーコードの読取り作業が円滑化され、ひいては会計処理が迅速化される。なお、発光部９による読取位置の照明は、補助照明としての役割も担っている。すなわち、バーコードには十分な光量が照射されることになるので、スキャナ３４によるバーコードの読取り率が向上する効果をも奏する。
【００４６】
また、スキャナ３４によるバーコードの読取りが成功したときには発光部９が青色に発光し、失敗したときには発光部９が赤色に発光する。したがって、顧客は、表示器８の表示内容を確認するまでもなく、バーコードの読取りの成否を認知できる。さらに、表示器８よりも読取位置に近い位置に発光部９が配置されているため、バーコードの読取りの成否を確認するための顧客の目線の移動幅が表示器８の表示内容を確認する場合よりも縮小される。したがって、顧客が次の読取り動作に移行するまでの時間を短縮できる。
【００４７】
（第２の実施形態）
次に、本発明の第２の実施形態について、図５及び図６を参照しながら説明する。  
この実施形態は、スキャナ３４がバーコードを読み取るにあたって発光部９による補助照明が必要な場合に、ＬＥＤ９ａを点灯させる点で第1の実施形態と異なる。その他、第1の実施形態と同一の構成には、同一の符号を付して重複説明を省略する。
【００４８】
図５は、セルフチェックアウト端末１の制御回路を示すブロック図である。本実施形態におけるスキャナ３４は、読取位置に対する照明の光量不足を検知する光量検知回路３４ｄ（光量検知手段）を備えている。光量検知回路３４ｄは、イメージセンサ３４ｂから出力される映像信号の振幅が予め定められた閾値に到達しない場合に光量不足を検知するようになっている。
【００４９】
図６は、本実施形態における発光部９の発光制御において、ＣＰＵ２０が実行する処理のフローチャートである。  
会計処理にてスキャナ３４がバーコードの読取りを受け付けている間、ＣＰＵ２０は、読取り窓１０に商品が翳された否かを判定している（ステップＳ１）。そして、読取り窓１０に商品が翳されたと判定される場合（ステップＳ１のＹｅｓ）、ＣＰＵ２０は、発光部９による補助照明が必要か否かを判定する（ステップＳ２ａ）。
【００５０】
光量検知回路３４ｄにて読取位置に対する照明の光量不足が検知されている場合、ＣＰＵ２０は、発光部９による照明が必要であると判定する（ステップＳ２ａのＹｅｓ）。この場合、ＣＰＵ２０は、発光部コントローラ３０を介して発光部９を制御し、ＬＥＤ９ａを点灯させる（ステップＳ２）。
【００５１】
ＬＥＤ９ａを点灯させた後、あるいは光量検知回路３４ｄにて光量不足が検知されていない場合（ステップＳ２ａのＮｏ）、ＣＰＵ２０は、バーコードの読取りに成功したか否かを判定する（ステップＳ３）。デコーダ３４ｃがバーコードをデコードできていない場合、ＣＰＵ２０は、バーコードの読取りに失敗したと判定し（ステップＳ３のＮｏ）、発光部コントローラ３０を介して発光部９を制御してＬＥＤ９ａを消灯するとともに、ＬＥＤ９ｂを瞬間的に点灯させる（ステップＳ４）。
【００５２】
一方、デコーダ３４ｃがバーコードをデコードできた場合、ＣＰＵ２０は、バーコードの読取りに成功したと判定し（ステップＳ３のＹｅｓ）、発光部コントローラ３０を介して発光部９を制御してＬＥＤ９ａを消灯するとともに、ＬＥＤ９ｃを点灯させる（ステップＳ５）。しかる後、ＣＰＵ２０は、デコードされたバーコードデータであるデータＰＬＵコードに対応付けられたＰＬＵデータをＨＤＤ２５に記憶されたＰＬＵファイルから検索し、発見したＰＬＵデータに販売点数を対応付けた販売データをＲＡＭ２２に形成した販売データ登録用の記憶エリアに登録する（ステップＳ６）。以上で、一連の発光部９の発光制御が終了する。
【００５３】
以上説明したように、本実施形態におけるセルフチェックアウト端末１は、読取位置に商品が翳され、かつスキャナ３４が当該商品に付されたバーコードを読み取るのに必要な光量が不足している場合に発光部９が白色に発光し、当該商品を照明する。このように必要な場合にのみ発光部９のＬＥＤ９ａを発光させる構成とすれば、発光部９の補助照明としての機能を実現しつつ、読取位置が過度に照明される事態を防止することができる。
【００５４】
その他、前記実施形態と同様の効果を奏することはいうまでもない。
【００５５】
（変形例）
なお、本発明は、前記各実施形態そのままに限定されるものではなく、実施段階ではその要旨を逸脱しない範囲で構成要素を変形して具体化できる。具体的な変形例としては、例えば次のようなものがある。
【００５６】
（１）すなわち、前記各実施形態では、表示器８と読取り窓１０との間に発光部９を設けた場合について説明した。しかしながら、発光部９を設ける位置は、発光部９の視認性を失しない範囲内で変形して実施してもよい。例えば、発光部９を読取り窓１０の下方或いは左右に設けることも可能である。但し、その設置位置によっては、バーコードのスキャニング動作を行う顧客自身の手や商品によって発光部９が遮られる虞がある。したがって、本発明を適用するセルフチェックアウト端末の筐体の形状等を考慮して、視認性を十分確保できる位置に発光部９を設けることが望ましい。
【００５７】
（２）また、前記各実施形態では、読取り窓１０に翳されたバーコードをスキャナ３４が読取って買い上げ商品のＰＬＵコードを入力するとして説明した。しかしながら、スキャナ３４は、商品に付された二次元コード等の他種のシンボルを読取って商品を特定する情報を読取るものであってもよい。また、スキャナ３４に代えてカメラを設け、読取り窓１０に翳された商品自体の色合いや形状からその商品の種別を判別するようにしてもよい。
【００５８】
（３）また、前記各実施形態では、カメラ撮像方式のバーコードスキャナを備えたセルフチェックアウト端末に本発明を適用した場合について説明した。しかしながら、読取位置にレーザ光を走査させるレーザ方式のバーコードスキャナを備えたセルフチェックアウト端末に本発明を適用してもよい。
【００５９】
（４）また、前記各実施形態では、本発明をセルフチェックアウト端末に適用した場合について説明した。しかしながら、セルフチェックアウト端末やＰＯＳ端末等に接続して使用されるスキャナ等の商品情報読取装置に本発明を適用してもよい。
【００６０】
この他、前記各実施形態に開示されている複数の構成要素の適宜な組み合わせにより、種々の発明を形成できる。例えば、各実施形態に示される全構成要素から幾つかの構成要素を削除してもよい。さらに、異なる実施形態にわたる構成要素を適宜組み合わせてもよい。
【符号の説明】
【００６１】
１…セルフチェックアウト端末、８…表示器、９…発光部、９ａ〜９ｃ…ＬＥＤ、１０…読取り窓、２０…ＣＰＵ、３４…スキャナ、３４ｄ…光量検知回路
【先行技術文献】
【特許文献】
【００６２】
【特許文献１】実開平５−３０９７２号公報
【図１】
2011134006.tif 000003
【図２】
2011134006.tif 000004
【図３】
2011134006.tif 000005
【図４】
2011134006.tif 000006
【図５】
2011134006.tif 000007
【図６】
2011134006.tif 000008